(57)【要約】【課題】自動原稿読取装置を用いた場合でも、原稿の頁数に応じて印刷速度を変更して印刷する。【解決手段】画像読取部２０は、ＤＡＤＦ２により搬送された原稿から１頁ごとに画像を読み取る。記憶部２３は、読み取られた画像の頁数を示す頁情報を記憶する。印刷部２６は、低速モードと高速モードとを切り替えて印刷を行う。印刷制御部２５は、頁数情報の頁数が予め定められた頁数以下であり、定着器２６０の温度が低速印刷可能温度Ｔｐ以上かつ高速印刷可能温度Ｔｒ未満であり、読取継続情報が「完了」である場合には、低速モードにより印刷を行い、頁数情報の頁数が予め定められた頁数を超えている場合または定着器２６０の温度が高速印刷可能温度Ｔｒ以上である場合には、高速モードにより印刷を行うよう印刷部２６を制御する。【選択図】図５
2017015814.tif 000002
【特許請求の範囲】
【請求項１】
予め定められた位置に設置された原稿を１頁ごとに読取位置まで搬送する搬送手段と、
前記搬送手段により搬送された原稿から画像を読み取る読取手段と、
前記読取手段により読み取られた画像の頁数を示す頁情報を記憶する記憶手段と、
第１の印刷速度と前記第１の印刷速度よりも速い第２の印刷速度とを切り替えて印刷を行う印刷手段と、
前記頁数情報の頁数が予め定められた頁数以下であり、定着器の温度が第１の閾値以上かつ第２の閾値未満であり、前記原稿から全頁の画像の読み取りが完了している場合には、前記第１の印刷速度により印刷を行い、前記頁数情報の頁数が予め定められた頁数を超えている場合または前記定着器の温度が前記第２の閾値以上である場合には、前記第２の印刷速度により印刷を行うよう前記印刷手段を制御する制御手段と、
を有する画像形成装置。
【請求項２】
前記第１の閾値は、前記定着器が当該温度に達した場合に前記印刷手段により印刷を開始しても、記録媒体上に形成された色材像を前記定着器により定着する際には、当該定着器の温度が前記第１の印刷速度に対応した温度となっているような温度であり、
前記第２の閾値は、前記定着器が当該温度に達した場合に前記印刷手段により印刷を開始しても、記録媒体上に形成された色材像を前記定着器により定着する際には、当該定着器の温度が前記第２の印刷速度に対応した温度となっているような温度である請求項１記載の画像形成装置。
【請求項３】
前記記憶手段は、前記読取手段による画像の読み取りが継続しているか否かを示す読取継続情報を記憶し、
前記制御手段は、前記読取継続情報に基づいて、前記原稿から全頁の画像の読み取りが完了しているか否かを判定する請求項１または２記載の画像形成装置。
【請求項４】
前記予め定められた頁数は、前記第１の印刷速度により印刷を行った場合に、前記第２の印刷速度よりも印刷完了までの時間が短くなる頁数である請求項１から３いずれか１項記載の画像形成装置。
【請求項５】
予め定められた位置に設置された原稿を１頁ごとに読取位置まで搬送するステップと、
搬送された原稿から画像を読み取るステップと、
読み取られた画像の頁数を示す頁情報を記憶するステップと、
前記頁数情報の頁数が予め定められた頁数以下であり、定着器の温度が第１の閾値以上かつ第２の閾値未満であり、前記原稿から全頁の画像の読み取りが完了している場合には、第１の印刷速度により印刷を行い、前記頁数情報の頁数が予め定められた頁数を超えている場合または前記定着器の温度が前記第２の閾値以上である場合には、前記第１の印刷速度よりも速い第２の印刷速度により印刷を行うよう制御するステップと、
をコンピュータに実行させるためのプログラム。
【発明の詳細な説明】
【技術分野】
【０００１】
本発明は、画像形成装置およびプログラムに関する。
【背景技術】
【０００２】
特許文献１には、ウォーミングアップ完了後の設定温度より低い暫定温度以上で定着処理ができる定着器を有する画像形成装置において、ウォーミングアップ中に設定されたプリント部数に対応するプリント枚数を算出し、算出されたプリント枚数が所定の枚数より少ないか否かを判別し、少ないと判別した場合は、暫定温度に達するとともに、通常プリントモードの搬送速度よりも遅い搬送速度で定着処理を行うように搬送速度を制御することが開示されている。
【先行技術文献】
【特許文献】
【０００３】
【特許文献１】特開２００８−２７５８３３号公報
【発明の開示】
【発明が解決しようとする課題】
【０００４】
印刷処理を行う際に、原稿のページ数に応じて、低温定着及び低速により印刷を行う低速モードと高温定着及び高速により印刷を行う高速モードとを切り替える場合がある。低速モードは、定着器の温度を上昇させるウォーミングアップに必要な時間が短いため、原稿が所定ページ数よりも少ない場合には高速モードよりも早く印刷物を得ることができる。一方、高速モードは、低速モードよりも印刷動作を高速で行うことができるため、原稿が所定ページ数以上である場合には、低速モードよりも早く印刷物を得ることができる。しかし、原稿トレイ等の所定位置に設置された原稿を１ページずつ自動で読み取りを行う自動原稿読取装置を用いた場合、原稿の全ページの読み取りが完了するまで原稿のページ数を確定することができず、適切な印刷速度に変更して印刷することができなかった。
【０００５】
本発明の目的は、自動原稿読取装置を用いた場合でも、原稿の頁数に応じて印刷速度を変更して印刷することが可能な画像形成装置およびプログラムを提供することである。
【課題を解決するための手段】
【０００６】
請求項１に係る本発明は、予め定められた位置に設置された原稿を１頁ごとに読取位置まで搬送する搬送手段と、
前記搬送手段により搬送された原稿から画像を読み取る読取手段と、
前記読取手段により読み取られた画像の頁数を示す頁情報を記憶する記憶手段と、
第１の印刷速度と前記第１の印刷速度よりも速い第２の印刷速度とを切り替えて印刷を行う印刷手段と、
前記頁数情報の頁数が予め定められた頁数以下であり、定着器の温度が第１の閾値以上かつ第２の閾値未満であり、前記原稿から全頁の画像の読み取りが完了している場合には、前記第１の印刷速度により印刷を行い、前記頁数情報の頁数が予め定められた頁数を超えている場合または前記定着器の温度が前記第２の閾値以上である場合には、前記第２の印刷速度により印刷を行うよう前記印刷手段を制御する制御手段と、
を有する画像形成装置である。
【０００７】
請求項２に係る本発明は、前記第１の閾値が、前記定着器が当該温度に達した場合に前記印刷手段により印刷を開始しても、記録媒体上に形成された色材像を前記定着器により定着する際には、当該定着器の温度が前記第１の印刷速度に対応した温度となっているような温度であり、
前記第２の閾値は、前記定着器が当該温度に達した場合に前記印刷手段により印刷を開始しても、記録媒体上に形成された色材像を前記定着器により定着する際には、当該定着器の温度が前記第２の印刷速度に対応した温度となっているような温度である請求項１記載の画像形成装置である。
【０００８】
請求項３に係る本発明は、前記記憶手段が、前記読取手段による画像の読み取りが継続しているか否かを示す読取継続情報を記憶し、
前記制御手段は、前記読取継続情報に基づいて、前記原稿から全頁の画像の読み取りが完了しているか否かを判定する請求項１または２記載の画像形成装置である。
【０００９】
請求項４に係る本発明は、前記予め定められた頁数は、前記第１の印刷速度により印刷を行った場合に、前記第２の印刷速度よりも印刷完了までの時間が短くなる頁数である請求項１から３いずれか１項記載の画像形成装置である。
【００１０】
請求項５に係る本発明は、予め定められた位置に設置された原稿を１頁ごとに読取位置まで搬送するステップと、
搬送された原稿から画像を読み取るステップと、
読み取られた画像の頁数を示す頁情報を記憶するステップと、
前記頁数情報の頁数が予め定められた頁数以下であり、定着器の温度が第１の閾値以上かつ第２の閾値未満であり、前記原稿から全頁の画像の読み取りが完了している場合には、第１の印刷速度により印刷を行い、前記頁数情報の頁数が予め定められた頁数を超えている場合または前記定着器の温度が前記第２の閾値以上である場合には、前記第１の印刷速度よりも速い第２の印刷速度により印刷を行うよう制御するステップと、
をコンピュータに実行させるためのプログラムである。
【発明の効果】
【００１１】
請求項１に係る本発明によれば、自動原稿読取装置を用いた場合でも、原稿の頁数に応じて印刷速度を変更して印刷することが可能な画像形成装置を提供することができる。
【００１２】
請求項２に係る本発明によれば、定着器が予め設定された温度まで達する前に印刷を開始することが可能な画像形成装置を提供することができる。
【００１３】
請求項３に係る本発明によれば、制御手段は、記憶手段に記憶された読取継続情報を参照するだけで、原稿から全頁の画像の読み取りが完了しているか否かを判定することが可能な画像形成装置を提供することができる。
【００１４】
請求項４に係る本発明によれば、原稿の頁数に応じて印刷が完了するまでの時間が短い印刷速度に変更することが可能な画像形成装置を提供することができる。
【００１５】
請求項５に係る本発明によれば、自動原稿読取装置を用いた場合でも、原稿の頁数に応じて印刷速度を変更して印刷することが可能なプログラムを提供することができる。
【図面の簡単な説明】
【００１６】
【図１】本発明の一実施形態における画像形成装置１の概要図である。
【図２】本発明の一実施形態におけるＤＡＤＦ２の側面を拡大した断面図である。
【図３】本発明の一実施形態における印刷装置４の概略図である。
【図４】本発明の一実施形態における画像形成装置１のハードウェア構成を示すブロック図である。
【図５】本発明の一実施形態における画像形成装置１の機能構成を示すブロック図である。
【図６】本発明の一実施形態における低速モード及び高速モードの一例を示す図である。
【図７】本発明の一実施形態における定着器２６０の温度上昇の一例を示す図である。
【図８】本発明の一実施形態における画像形成装置１の読み取り動作を示すフローチャートである。
【図９】本発明の一実施形態における画像形成装置１の印刷動作を示すフローチャートである。
【発明を実施するための最良の形態】
【００１７】
次に、本発明の実施の形態について図面を参照して詳細に説明する。
【００１８】
図１は、本実施形態における画像形成装置１の概要図である。
【００１９】
本実施形態における画像形成装置１は、図１に示されるように、ＤＡＤＦ（Ｄｕｐｌｅｘ  Ａｕｔｏｍａｔｉｃ  Ｄｏｃｕｍｅｎｔ  Ｆｅｅｄｅｒ）２と、読取装置３と、印刷装置４とにより構成される。
【００２０】
ＤＡＤＦ２は、予め定められた位置に設置された原稿を１ページ（頁）ずつ読取位置まで搬送する搬送手段である。読取装置３は、ＤＡＤＦ２により読取位置まで搬送された原稿から画像を読み取る。印刷装置４は、読取装置３により読み取られた画像を用紙上に印刷する。
【００２１】
次に、本実施形態におけるＤＡＤＦ２について、図２を参照して詳細に説明する。図２は、ＤＡＤＦ２の側面を拡大した断面図である。
【００２２】
図２に示されるように、ＤＡＤＦ２は、複数ページの原稿１００を設置するための原稿トレイ１１０と、原稿トレイ１１０に原稿１００が設置されたことを検知する検知センサ１２０と、原稿トレイ１１０に設置された原稿１００を１ページずつ供給する原稿供給ローラ１３０と、原稿搬送路１４０に沿って原稿を搬送する原稿搬送ローラ１５０と、搬送された原稿１００を最終的に排出するための原稿排出トレイ１６０とを有する。
【００２３】
本実施形態におけるＤＡＤＦ２は、検知センサ１２０により原稿トレイ１１０に原稿１００が設置されたことを検知した後に、画像形成装置２に対して読み取りの指示があった場合に、原稿供給ローラ１３０により原稿を１ページずつ原稿搬送路１４０に供給し、原稿搬送ローラ１５０は、図２における矢印方向に原稿１００を読取位置まで搬送する。そして、原稿搬送ローラ１５０は、読取位置において読取装置３により画像が読み取られた原稿１００を図２の矢印方向に搬送して原稿排出トレイ１６０に排出する。
【００２４】
次に、本実施形態における印刷装置４について、図３を参照して詳細に説明する。図３は、印刷装置４の概略図である。
【００２５】
本実施形態における印刷装置４は、図３に示されるように、例えば、電子写真方式にて各色トナー像を形成する画像形成ユニット２００と、画像形成ユニット２００で形成されたトナー像を転写（一次転写）して保持させる中間転写ベルト２１０と、用紙供給部２２０から供給された用紙（記録媒体）を搬送する搬送ローラ２３０と、中間転写ベルト２１０に一次転写された重ねトナー像を用紙に二次転写する二次転写装置２４０と、二次転写された用紙を搬送する搬送ベルト２５０と、二次転写されたトナー像（色材像）を予め定められた温度により用紙上に定着させる定着器２６０と、定着器２６０の温度を取得する温度センサ２７０と、印刷装置４を構成する各部の動作を制御する印刷制御部２４とを有している。また、定着器２６０により画像が定着された用紙は、図示しない排出口に排出される。なお、本実施形態において画像形成ユニット２００を１つとして説明しているが、複数の画像形成ユニットにより、複数色（例えば、ＣＭＹＫ各色）のトナー像を形成するようにしてもよい。
【００２６】
次に、本実施形態の画像形成装置１のハードウェア構成を、図４を参照して説明する。
【００２７】
本実施形態の画像形成装置１は、図４に示されるように、ＣＰＵ１１、メモリ１２、ハードディスクドライブ（ＨＤＤ）等の記憶装置１３、タッチパネルや液晶ディスプレイにより構成されたユーザインタフェース（ＵＩ）装置１４、用紙等の記録媒体に対して画像を印刷する印刷部１５、原稿から画像を読み取る画像読取部１６を有する。そして、これらの構成要素は、制御バス１７を介して互いに接続されている。
【００２８】
ＣＰＵ１１は、メモリ１２または記憶装置１３に格納された印刷制御プログラムに基づいて所定の処理を実行して、画像形成装置１の動作を制御する。
【００２９】
図５は、上記の印刷制御プログラムが実行されることにより実現される画像形成装置１の機能構成を示すブロック図である。
【００３０】
画像形成装置１は、図５に示されるように、画像読取部２０と、画像処理部２１と、ページカウンタ２２と、記憶部２３と、定着温度管理部２４と、印刷制御部２５と、印刷部２６とにより構成される。
【００３１】
画像読取部２０は、予め定められた位置に設置された原稿１００から１ページ（頁）ごとに画像を読み取る。本実施形態では、ＤＡＤＦ２により原稿トレイ１１０から搬送された原稿１００から１ページごとに画像を読み取る。なお、本実施形態においては、例えば、画像読取部２０により画像を読み取る速度が毎分８０ページ（８０ページ／ｍ）であるものとする。
【００３２】
画像処理部２１は、画像読取部２０により読み取られた画像に基づいて印刷用データを生成する画像処理を行う。
【００３３】
ページカウンタ２２は、画像読取部２０により１ページ分の画像が読み取られるごとにページ数をカウント（計数）して、画像読取部２０により読み取られた画像のページ数を示すページ数情報を生成する。また、検知センサ１２０により原稿１００が原稿トレイ１１０に設置されていることが検知された場合、ページカウンタ２２は、画像の読み取りが継続しているか否か示す読取継続情報を「継続中」に設定する。また、ＤＡＤＦ２により原稿トレイ１１０から原稿１００の全ページが搬送され、検知センサ１２０により原稿１００が検知されなくなった場合、ページカウンタ２２は、読取継続情報を「継続中」から「完了」に更新する。
【００３４】
記憶部２３は、画像処理部２１により生成された印刷用データと、ページカウンタ２２により生成されたページ数情報を記憶する。また、記憶部２３は、画像の読み取りが継続しているか否かを示す読取継続情報を記憶する。
【００３５】
定着温度管理部２４は、温度センサ２７０から定着器２６０の温度を取得することにより、定着器２６０の温度を管理する。なお、本実施形態において、定着温度管理部２４は、画像形成装置２に対する原稿１００のコピー（複写）指示により、画像読取部２０が原稿１００の画像の読み取りを開始した場合に、ヒータ等により定着器２６０の温度の上昇を開始する。
【００３６】
印刷制御部２５は、ページ数情報のページ数が予め定められたページ数以下であり、定着器２６０の温度が第１の閾値以上かつ第２の閾値未満であり、原稿１００から全ページの画像の読み取りが完了した場合には、第１の印刷速度により印刷を行い、ページ数情報のページ数が予め定められたページ数を超えている場合または定着器２６０の温度が第２の閾値以上である場合には、第１の印刷速度よりも速い第２の印刷速度により印刷を行うよう印刷部２６を制御する。
【００３７】
なお、以下の説明においては、第１の印刷速度による印刷を低速モード、第２の印刷速度による印刷を高速モードとし、低速モードに対して予め設定された定着器２６０の温度をＴ１、高速モードに対して予め設定された定着器２６０の温度をＴ２として説明する。
【００３８】
また、第１の閾値は、定着器２６０が当該温度に達した場合に印刷部２６により印刷を開始しても、用紙上に形成されたトナー像を定着器２６０により定着する際には、定着器２６０の温度が低速モードに対応した温度となっているような温度である（以下、低速印刷可能温度Ｔｐ）。また、第２の閾値は、定着器２６０が当該温度に達した場合に印刷部２６により印刷を開始しても、用紙上に形成されたトナー像を定着器２６０により定着する際には、定着器２６０の温度が高速モードに対応した温度となっているような温度である（以下、高速印刷可能温度Ｔｒ）。
【００３９】
印刷部２６は、低速モードと高速モードとを切り替えて印刷を行う。
【００４０】
次に、本実施形態における低速モード及び高速モードの切り替え方法の一例について、図６及び図７を参照して詳細に説明する。なお、図６は、本実施形態における低速モード及び高速モードの一例を示す図である。また、図７は、本実施形態における定着器２６０の温度上昇の一例を示す図である。
【００４１】
図６に示されるように、本実施形態における印刷部２６は、例えば、定着器２６０の温度がＴ１であって第１の印刷速度である毎分４０ページ（４０ページ／ｍ）の印刷速度により印刷を行う低速モードと、定着器２６０の温度がＴ２であって第２の印刷速度である８０ページ／ｍの印刷速度により印刷を行う高速モードとを切り替えて印刷を行う。
【００４２】
そして、図７に示されるように、低速モードは、高速モードと比較して、定着器２６０の温度の上昇を開始してから低速印刷可能温度Ｔｐとなるまでに必要な時間（例えば、定着器２６０の初期温度２０℃から温度上昇を開始した場合には２０秒）が高速モードよりも短いため、図６に示されるように、高速モードよりも早いタイミングで印刷を開始することができる。そのため、原稿１００のページ数が予め定められたページ数（本実施形態においては６ページ）以下である場合、高速モードよりも早く印刷処理を完了することができる。
【００４３】
一方、図７に示されるように、高速モードは、低速モードと比較して、定着器２６０の温度の上昇を開始してから高速印刷可能温度Ｔｒとなるまでに必要な時間（例えば、定着器２６０の初期温度２０℃から温度上昇を開始した場合には３０秒）が長いが、図６に示されるように、低速モードよりも速い印刷速度で印刷を行うことができる。そのため、原稿１００のページ数が予め定められたページ数を超えている場合（本実施形態においては７ページ以上）、低速モードよりも早く印刷処理を完了することができる。
【００４４】
なお、本実施形態において、予め定められたページ数とは、低速モードにより印刷を行った場合に、高速モードよりも印刷完了までの時間が短くなるページ数である。
【００４５】
そして、本実施形態においては、印刷制御部２５は、記憶部２３に記憶されたページ数情報及び読取継続情報を参照し、ページ数情報のページ数が６ページ以下であり、定着器２６０の温度が低速印刷可能温度Ｔｐ以上かつ高速印刷可能温度Ｔｒ未満であり、読取継続情報が「完了」である場合には、低速モードにより印刷を行うよう印刷部２６を制御する。また、印刷制御部２５は、読取継続情報が「継続中」であり、ページ数情報のページ数が６ページを超えている場合または定着器２６０の温度が高速印刷可能温度Ｔｒ以上である場合には、高速モードにより印刷を行うよう印刷部２６を制御する。
【００４６】
次に、本実施形態における画像形成装置１の処理の流れについて図８及び図９のフローチャートを参照して説明する。なお、本実施形態の画像形成装置１においては、後述する読み取り動作と印刷動作とを並列して行う。
【００４７】
まず、本実施形態における画像形成装置１の読み取り動作について図８を参照して説明する。
【００４８】
まず、ページカウンタ２２は、検知センサ１２０により原稿１００が原稿トレイ１１０に設置されたことが検知された場合に、読取継続情報を「継続中」に設定して記憶部２３に記憶させる（ステップＳ１０１）。
【００４９】
そして、画像読取部２０は、画像形成装置１においてコピー指示が行われた場合に、ＤＡＤＦ２により搬送された原稿１００から１ページ分の画像を読み取る（ステップＳ１０２）。また、画像処理部２１は、画像読取部２０により読み取られた画像に基づいて印刷用データを生成して、記憶部２３に各ページごとに印刷用データを記憶させる。
【００５０】
次に、ページカウンタ２２は、画像読取部２０により原稿１００から画像が読み取られた場合に、ページ数情報のページ数を１ページ加算して記憶部２３に記憶させる（ステップＳ１０３）。
【００５１】
そして、ページカウンタ２２は、検知センサ１２０により原稿１００が検知されているか否かに基づいて、原稿１００から全ページの画像の読み取りが完了しているか否かを判定する（ステップＳ１０４）。読み取りが完了していない場合には（ステップＳ１０４においてｎｏ）、ステップＳ１０２に戻る。
【００５２】
また、読み取りが完了した場合には（ステップＳ１０４においてｙｅｓ）、ページカウンタ２２は、記憶部２３に記憶されている読取継続情報を「継続中」から「完了」に更新する（ステップＳ１０５）。
【００５３】
次に、本実施形態における画像形成装置１の印刷動作について図９のフローチャートを参照して説明する。
【００５４】
まず、定着温度管理部２４は、画像読取部２０が画像の読み取りを開始した場合に、定着器２６０の温度の上昇を開始する（ステップＳ２０１）。また、定着温度管理部２４は、温度センサ２７０から定着器２６０の温度を取得して定着器２６０の温度を管理する。
【００５５】
そして、印刷制御部２５は、定着温度管理部２４に問い合わせて、定着器２６０の温度が低速印刷可能温度Ｔｐ以上となったか否かを判定する（ステップＳ２０２）。低速印刷可能温度Ｔｐ未満である場合には（ステップＳ２０２においてｎｏ）、ステップＳ２０１に戻る。
【００５６】
また、低速印刷可能温度Ｔｐ以上である場合には（ステップＳ２０２においてｙｅｓ）、印刷制御部２５は、定着器２６０の温度が高速印刷可能温度Ｔｒ以上となったか否かを判定する（ステップＳ２０３）。高速印刷可能温度Ｔｒ以上である場合には（ステップＳ２０３においてｙｅｓ）、ステップＳ２０９に進む。
【００５７】
また、高速印刷可能温度Ｔｒ未満である場合には（ステップＳ２０３においてｎｏ）、印刷制御部２５は、記憶部２３に記憶されているページ数情報を参照して（ステップＳ２０４）、ページ数情報のページ数が６ページ以下であるか否かを判定する（ステップＳ２０５）。
【００５８】
ページ数情報が６ページを超えている場合には（ステップＳ２０５においてｎｏ）、ステップＳ２０９に進む。
【００５９】
ページ数情報が６ページ以下である場合には（ステップＳ２０５においてｙｅｓ）、印刷制御部２５は、記憶部２３に記憶されている読取継続情報を参照して（ステップＳ２０６）、原稿１００から全ページの画像の読み取りが完了したか否かを判定する（ステップＳ２０７）。読取継続情報が「継続中」である場合には（ステップＳ２０７においてｎｏ）、ステップＳ２０１に戻る。
【００６０】
また、読取継続情報が「完了」である場合には（ステップＳ２０７においてｙｅｓ）、印刷制御部２５は、記憶部２３に記憶された印刷用データを低速モードで印刷するよう印刷部２６を制御する（ステップＳ２０８）。
【００６１】
また、ページ数情報が６ページを超えている場合または高速印刷可能温度Ｔｒ以上である場合に、印刷制御部２５は、記憶部２３に記憶された印刷用データを高速モードで印刷するよう印刷部２６を制御する（ステップＳ２０８）。
【００６２】
なお、本実施形態においては、定着器２６０の初期温度を低速印刷可能温度Ｔｐよりも低い２０℃として説明しているが、例えば、一度印刷処理を行った後、定着器２６０の温度が高速印刷可能温度Ｔｒ以上のまま、次の原稿のコピー指示が行われる場合がある。このような場合には、印刷制御部２５は、ページ数情報が６ページ以下であるか否かにかかわらず高速モードで印刷を行うよう印刷部２６を制御するようにしてもよい。
【００６３】
また、ページ数情報が６ページ以下であり、読取継続情報が「完了」である場合に、定着器２６０の温度が低速印刷可能温度Ｔｐ未満である際には、印刷制御部２５は、定着器２６０の温度が低速印刷可能温度Ｔｐまで上昇した時点で、低速モードにより印刷を開始するよう印刷部２６を制御するようにしてもよい。
【符号の説明】
【００６４】
１    画像形成装置１
２    ＤＡＤＦ
３    読取装置
４    印刷装置
１１    ＣＰＵ
１２    メモリ
１３    記憶装置
１４    ＵＩ装置
１５、２６    印刷部
１６、２０    画像読取部
２１    画像処理部
２２    ページカウンタ
２３    記憶部
２４    定着温度管理部
２５    印刷制御部
１００    原稿
１１０    原稿トレイ
１２０    検知センサ
１３０    原稿供給ローラ
１４０    原稿搬送路
１５０    原稿搬送ローラ
１６０    原稿排出トレイ
２００    画像形成ユニット
２１０    中間転写ベルト
２２０    用紙供給部
２３０    搬送ローラ
２４０    二次転写装置
２５０    搬送ベルト
２６０    定着器
２７０    温度センサ
【図１】
2017015814.tif 000003
【図２】
2017015814.tif 000004
【図３】
2017015814.tif 000005
【図４】
2017015814.tif 000006
【図５】
2017015814.tif 000007
【図６】
2017015814.tif 000008
【図７】
2017015814.tif 000009
【図８】
2017015814.tif 000010
【図９】
2017015814.tif 000011